(57)【要約】【課題】簡単な作業により、検索条件を設定すること。【解決手段】ナビゲーション本体１４は、自動車の道路案内に用いられる。ナビゲーション本体１４は、地図と位置情報とが重畳して印刷されている用紙２１から、電子ペン１２によって読み取られた上記位置情報に基づいて、電子地図上の経路を検索する。例えば、上記電子ペン１２の上記用紙２１に対する筆記軌跡に基づいて、出発地点と目的地点が設定される。そして設定されたその上記出発地点から上記目的地点までの経路が検索される。本発明は、自動車などの車両にナビゲーション本体が設置されるナビゲーションシステムにおいて好適に利用することができる。【選択図】図１
2010033155.tif 000002
【特許請求の範囲】
【請求項１】
記憶媒体に記憶されているデータを処理する情報処理装置において、
上記情報処理装置の傾斜角を検出する検出手段と、
検出された傾斜角に応じて上記記憶媒体に記憶されているデータを削除する削除手段と
を備えることを特徴とする情報処理装置。
【請求項２】
前記削除手段は、検出された傾斜角に応じた量のデータを前記記憶媒体から削除する
ことを特徴とする請求項１に記載の情報処理装置。
【請求項３】
前記記憶媒体には、データの種類を示す情報がデータに対応付けられて記憶されており、
前記削除手段は、検出された傾斜角に応じた種類のデータを、前記記憶媒体から削除する
ことを特徴とする請求項１に記載の情報処理装置。
【請求項４】
前記記憶媒体には、データの削除を許可しない旨を示す情報が対応付けられてデータが記憶されており、
前記削除手段は、データの削除を許可しない旨を示す情報が対応付けられている場合には、そのデータの削除を制限する
ことを特徴とする請求項１に記載の情報処理装置。
【請求項５】
データの削除を開始する際に操作される操作部が設けられ、
前記検出手段は、上記操作部が操作されたとき、前記情報処理装置の傾斜角を検出し、
前記削除手段は、検出された傾斜角に応じて上記記憶媒体に記憶されているデータを削除する
ことを特徴とする請求項１に記載の情報処理装置。
【請求項６】
描かれた文字イメージを認識し、認識された文字イメージに応じて削除するデータ量を指定する指定手段をさらに備え、
前記削除手段は、検出された傾斜角と上記指定手段により指定されたデータ量に応じてデータを削除する
ことを特徴とする請求項１に記載の情報処理装置。
【請求項７】
記憶媒体に記憶されているデータを処理する情報処理装置の情報処理方法において、
上記情報処理装置の傾斜角を検出する検出ステップと、
検出された傾斜角に応じて上記記憶媒体に記憶されているデータを削除する削除ステップと
を含むことを特徴とする情報処理方法。
【請求項８】
記憶媒体に記憶されているデータを処理する情報処理装置の上記記憶媒体に記憶されているデータを削除する処理をコンピュータに実行させるプログラムであって、
上記情報処理装置の傾斜角を検出する検出ステップと、
検出された傾斜角に応じて上記記憶媒体に記憶されているデータを削除する削除ステップと
を含む処理をコンピュータに実行させることを特徴とするプログラム。
【発明の詳細な説明】
【技術分野】
【０００１】
本発明は、情報処理装置、情報処理方法、及びプログラムに関する。
【背景技術】
【０００２】
メモリの小型化や大容量化に伴って、デジタルデータをメモリに記憶させて手軽に利用できる小型の装置（以下、このような装置を、適宜、メモリ装置と総称する）が各種開発されている。
【０００３】
また例えば地図とドットパターンが重畳して印刷された電子ペーパとともに利用されるペン型の装置で、ペン先から読み取ったドットパターンを解読し、地図の地理座標値（例えば、緯度経度）を取得する電子ペンも、メモリ装置の１つである。
【０００４】
ところで、メモリに格納したデジタルデータは、メモリの記憶容量を確保するために、適宜削除する必要がある。例えばデジタル音楽データをメモリに記憶させて視聴できるメモリプレーヤでは、メモリプレーヤ本体やリモートコントローラの筐体に設置してあるボタンやキーコントロールをユーザが操作することによって、メモリから楽曲のデジタルデータを削除することができる。
【０００５】
またメモリプレーヤを、無線又は有線でパーソナルコンピュータに接続し、パーソナルコンピュータにおいて実行する所定のアプリケーションプログラムを介して、メモリプレーヤを操作することによって、メモリからデジタルデータを削除することもできる。
【０００６】
電子ペンは、読み取ったデータを適宜受信機側に送信するが、受信が完了した時点で自動的に電子ペンのメモリからデジタルデータが削除される。また所定のデータ削除コマンドを電子ペンに読み取らせ、電源が切られたときにデータが削除されるようにすることもできる（特許文献１参照）。
【０００７】
【特許文献１】特開２００３−３３５０８２号公報
【発明の開示】
【発明が解決しようとする課題】
【０００８】
このように従来のメモリ装置においてメモリに記憶されたデータを削除するには、筐体に設けられたスイッチを操作したり、パーソナルコンピュータ等の外部接続先を操作する必要があり、手間がかかる問題がある。
【０００９】
本発明は、このような状況に鑑みてなされたものであり、メモリに記憶されているデータを簡単に削除することができるようにするものである。
【課題を解決するための手段】
【００１０】
本発明の情報処理装置は、記憶媒体に記憶されているデータを処理する情報処理装置において、情報処理装置の傾斜角を検出する検出手段と、検出された傾斜角に応じて記憶媒体に記憶されているデータを削除する削除手段とを備えることを特徴とする。
【００１１】
削除手段は、検出された傾斜角に応じた量のデータを記憶媒体から削除することができる。
【００１２】
記憶媒体には、データの種類を示す情報がデータに対応付けられて記憶されており、削除手段は、検出された傾斜角に応じた種類のデータを、記憶媒体から削除することができる。
【００１３】
記憶媒体には、データの削除を許可しない旨を示す情報が対応付けられてデータが記憶されており、削除手段は、データの削除を許可しない旨を示す情報が対応付けられている場合には、そのデータの削除を制限することができる。
【００１４】
データの削除を開始する際に操作させる操作部が設けられ、検出手段は、操作部が操作されたとき、情報処理装置の傾斜角を検出し、削除手段は、検出された傾斜角に応じて記憶媒体に記憶されているデータを削除することができる。
【００１５】
描かれた文字イメージを認識し、認識された文字イメージに応じて削除するデータ量を指定する指定手段をさらに備え、削除手段は、検出された傾斜角と指定手段により指定されたデータ量に応じてデータを削除することができる。
【００１６】
本発明の情報処理方法は、記憶媒体に記憶されているデータを処理する情報処理装置の情報処理方法において、情報処理装置の傾斜角を検出する検出ステップと、検出された傾斜角に応じて記憶媒体に記憶されているデータを削除する削除ステップとを含むことを特徴とする。
【００１７】
本発明のプログラムは、記憶媒体に記憶されているデータを処理する情報処理装置の記憶媒体に記憶されているデータを削除する処理をコンピュータに実行させるプログラムであって、情報処理装置の傾斜角を検出する検出ステップと、検出された傾斜角に応じて記憶媒体に記憶されているデータを削除する削除ステップとを含む処理をコンピュータに実行させることを特徴とする。
【発明の効果】
【００１８】
本発明では、メモリに記憶されているデータを簡単に削除することができる。
【発明を実施するための最良の形態】
【００１９】
図１は、本発明の実施の形態に係るナビゲーションシステム１の構成例を示すブロック図である。
【００２０】
ナビゲーションシステム１は、地図帳１１、電子ペン１２、電子ペン１２とＵＳＢケーブル１３を介して接続されるナビゲーション本体１４から構成されている。このナビゲーションシステム１は、ユーザが電子ペン１２を用いて地図帳１１上のある位置を指し示すことで、案内経路検索のための出発地や目的地を設定することができるようになされている。
【００２１】
地図帳１１は、地図とドットパターンが重畳して印刷された用紙２１が製本されたものである。
【００２２】
電子ペン１２は、ペン軸５１が指し示した用紙２１の紙面上の位置等を示すデータを、内蔵するメモリ５５（図３）に記憶し、適宜ナビゲーション本体１４に供給する。
【００２３】
電子ペン１２はまた、後述するように、電子ペン１２の傾きに応じてメモリ５５に記憶しているデータを削除する。即ちユーザは、電子ペン１２を傾けるだけで、電子ペン１２に記憶されているデータを削除することができる。
【００２４】
ナビゲーション本体１４は、電子ペン１２から供給されたデータに基づいて、案内経路の出発地や目的地等の経路検索の条件を決定し、その検索条件に基づいて案内経路を検索する。ナビゲーション本体１４は、その検索結果を提示し、提示した案内経路を誘導する誘導処理を実行する。
【００２５】
図２は、地図帳１１の一例を示す図である。図２には、２頁に渡る用紙２１が見開いた状態で示されている。
【００２６】
用紙２１の地図エリア３１には、地図が印刷されている。
【００２７】
また用紙２１のコマンド設定エリア３２には、出発地マーク４１−１、目的地マーク４１−２、立寄地点マーク４１−３、通過ルートマーク４１−４、及び削除ロックマーク４１−５（以下、個々に区別する必要がない場合、コマンドマーク４１と称する）が印刷されている。なお図２の例では、コマンドマーク４１は、「出発地」等の文字が付された矩形型のマークとなっている。
【００２８】
用紙２１の地図エリア３１及びコマンド設定エリア３２には、電子ペン１２が読取可能なドットパターンが重畳して印刷されている。ドットパターンは、複数のドットの配列パターン（例えば６×６個のドットの所定の基準位置に対するずれの組み合わせ）で、このドットの配列パターンは、用紙２１の紙面上のＸＹの座標値に対応している。従って、電子ペン１２は、ペン軸５１が指し示すドットパターン（例えば６×６個のドットの基準位置に対するずれの組み合わせ）を解読し、用紙２１の紙面上のＸＹの座標値を得ることができる。
【００２９】
なおドットパターンを構成するドットは、赤外線を吸収するインクにより、地図は、赤外線を透過するインクにより、それぞれ用紙２１の紙面上に印刷される。従って、電子ペン１２は、赤外線を照射し、反射される赤外線の強度分布に基づいて、ドットパターンを解読することができる。
【００３０】
図３は、電子ペン１２の内部構成例を示すブロック図である。
【００３１】
この例において電子ペン１２は、ペン軸５１、筆圧センサ５２、赤外線ＬＥＤ（Ｌｉｇｈｔ  Ｅｍｉｔｔｉｎｇ  Ｄｉｏｄｅ）５３、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ５４、メモリ５５、傾斜角センサ５６、タイマ５７、削除スイッチ５８、スピーカ５９、ＬＣＤ（Ｌｉｑｕｉｄ  Ｃｒｙｓｔａｌ  Ｄｉｓｐｌａｙ）６０、通信部６１、及びマイクロコンピュータ６２などを有している。これらの各部は、細長い棒形状のハウジング７１（図１）内に格納されている。
【００３２】
ペン軸５１は、ハウジング７１の一端部に、突出して配設されている。
【００３３】
筆圧センサ５２は、ペン軸５１に作用する筆圧を検出する。筆圧センサ５２は、検出した筆圧値をマイクロコンピュータ６２に出力する。
【００３４】
赤外線ＬＥＤ５３及びＣＭＯＳセンサ５４は、ハウジング７１の一端部において、ペン軸５１の配設位置の周囲に配設される。赤外線ＬＥＤ５３は、マイクロコンピュータ６２の制御により、ペン軸５１の先端が紙面に触れるとき、その接触部位及びその周囲の部位へ赤外線を照射する。
【００３５】
ＣＭＯＳセンサ５４は、紙面のその接触部位及びその周囲の部位により反射される赤外線を受光する。ＣＭＯＳセンサ５４は、受光した赤外線の強度分布データを、マイクロコンピュータ６２に出力する。
【００３６】
メモリ５５は、フラッシュメモリ等で構成され、マイクロコンピュータ６２から供給されたデータを記憶したり、削除する。
【００３７】
傾斜角センサ５６は、電子ペン１２の傾きに応じたセンサ信号をマイクロコンピュータ６２に供給する。
【００３８】
タイマ５７は、時刻情報を生成し、マイクロコンピュータ６２に出力する。
【００３９】
削除スイッチ５８は、ハウジング７１に配設され（図１）、ユーザによる操作に応じた信号をマイクロコンピュータ６２に出力する。
【００４０】
スピーカ５９は、マイクロコンピュータ６２から供給された音声信号に対応する音声を出力する。
【００４１】
ＬＣＤ６０は、マイクロコンピュータ６２から供給された画像信号に対応する画像を表示する。
【００４２】
通信部６１は、メモリ５５に記憶されたデータを、通信部６１にＵＳＢケーブル１３により接続される機器へ送信する。この例の場合、ナビゲーション本体１４に送信される。なおこの例では、ＵＳＢケーブル１３を介して電子ペン１２とナビゲーション本体１４（の通信部６１）が通信するものとしたが、無線通信を行うようにすることもできる。
【００４３】
マイクロコンピュータ６２は、図示せぬ、メモリ、ＣＰＵ（Ｃｅｎｔｒａｌ  Ｐｒｏｃｅｓｓｉｎｇ  Ｕｎｉｔ）、入出力ポートなどを有する。入出力ポートには、筆圧センサ５２から通信部６１などが接続される。マイクロコンピュータ６２のＣＰＵは、メモリなどから図示せぬ制御プログラムを読み込んで実行する。
【００４４】
なお図３に示した各部のすべてが必ずしも必要ではなく、例えばＬＣＤ６０を有しないようにすることもできる。
【００４５】
図４は、マイクロコンピュータ６２のＣＰＵが、読み込んだ制御プログラムを実行することによって実現されるマイクロコンピュータ６２の機能的構成例を示すブロック図である。図４の例においては、データ記憶部８１、データ処理部８２、及びデータ削除部８３が実現される。
【００４６】
マイクロコンピュータ６２におけるデータ記憶部８１は、ＣＭＯＳセンサ５４により撮像される用紙２１の地図エリア３１のドットパターンを解読し、その結果読み取られた座標値を表すデータ（以下、地点データと称する）を、地点データの種類、地点データを記憶した日時、データ量、及び地点データの削除を許可しない旨を表す情報と対応付けて、メモリ５５に記憶させる。
【００４７】
図５及び図６は、メモリ５５に記憶されているデータの構成例を示す図である。
【００４８】
例えば、ユーザが、電子ペン１２を用いて、立寄地点マーク４１−３をチェックし、削除ロックマーク４１−５をチェックし、そして地図エリア３１中の位置（例えば、立寄地点としたい地図上の施設がある位置）をチェックするものとする。
【００４９】
この場合、最初にチェックされた位置の座標値が立寄地点マーク４１−３内のものであると判定され、次にチェックされた位置の座標値が削除ロックマーク４１−５内のものであると判定され、そして次にチェックされた位置の座標値が地図エリア３１内のものであると判定される。そのようにチェック位置が判定されると、地図エリア３１内のチェック位置の座標値（この例の場合、レ点が描かれた軌跡の座標値）が、記憶日時と対応付けられて記憶される（図５）。そしてその１軌跡分の座標値の群を地点データとして、データＩＤが割り振られ、そのデータＩＤ（例えば、１）、記憶日時（この例の場合、軌跡の座標値の最初の記憶日時）、地点データが立寄地点のデータであること、削除を許可しない旨を示す情報、及びその地点データのプロット数（例えば、３５０）がそれぞれ対応付けられてメモリ５５に記憶される（図６）。
【００５０】
即ち図６の「データの種類」の欄には、出発地マーク４１−１から通過ルートマーク４１−４の操作に応じて設定されるものであって、地点データが、出発地、目的地、立寄地点、又は通過ルートに関するデータであることを示す情報が記憶される。
【００５１】
また「削除ロック」の欄には、削除ロックマーク４１−５の選択に応じて設定される削除を許可しない旨を示す情報が記憶される。図６の例では、白色の丸印が削除を許可しない旨を示す情報が記憶されていることを意味している。
【００５２】
プロット数は、例えばレ点が描かれた軌跡の座標値の数であり、地点データのデータ量を表す。
【００５３】
図４に戻りデータ処理部８２は、データ記憶部８１によりメモリ５５に記憶された地点データや、それに対応付けられているデータ（以下、地点データ及びそれに対応付けられているデータを、適宜、軌跡データと総称する）を、通信部６１を介してナビゲーション本体１４に送信するなどの処理を行う。
【００５４】
データ削除部８３は、メモリ５５に記憶されている軌跡データを、例えば電子ペン１２の傾きに応じて削除する。この例においてデータ削除部８３は、制御部９１及び削除処理部９２から構成される。
【００５５】
制御部９１は、データ削除のタイミングを決定する。制御部９１は、例えば削除スイッチ５８がオンになったとき、データ削除のタイミングであると判定し、軌跡データを削除する旨の指令を、削除処理部９２に通知する。
【００５６】
削除処理部９２は、制御部９１から軌跡データを削除する旨の指令が通知されたとき、電子ペン１２の傾きに応じてメモリ５５に記憶されている軌跡データを削除する。この例において削除処理部９２は、傾斜角検出部１０１、削除データ決定部１０２、及び処理部１０３から構成される。
【００５７】
傾斜角検出部１０１は、傾斜角センサ５６から入力されたセンサ信号に基づいて、電子ペン１２の、データ削除に用いる傾斜角（以下、傾斜角Ｒと称する）を検出する。
【００５８】
図７は、電子ペン１２の傾斜角Ｒを説明する図である。図７の例では、鉛直方向を０度とし、鉛直方向からの傾きが傾斜角Ｒとされる。
【００５９】
例えば、傾斜角検出部１０１は、制御部９１から軌跡データを削除する旨の指令が通知されたときから（例えば、削除スイッチ５８がオンになったときから）所定時間（例えば、３秒間）の傾斜角センサ５６からのセンサ信号が示す傾斜角の平均値を算出し、その算出の結果得られた傾斜角を、傾斜角Ｒとする。
【００６０】
また傾斜角検出部１０１は、削除スイッチ５８がオンになったときから所定時間（例えば、３秒間）における傾斜角センサ５６からのセンサ信号が示す最大の傾斜角を、傾斜角Ｒとすることもできる。
【００６１】
削除データ決定部１０２は、傾斜角検出部１０１により検出された傾斜角Ｒに応じて削除する軌跡データを決定する。この削除する軌跡データの決定方法については、後述する。
【００６２】
処理部１０３は、削除データ決定部１０２により決定された軌跡データを、メモリ５５から削除する処理を実行する。
【００６３】
図８は、電子ペン１２におけるデータ削除処理の流れを示すフローチャートである。
【００６４】
ステップＳ１において、データ削除部８３の制御部９１は、軌跡データを削除するタイミングであると判定するまで待機し、軌跡データを削除するタイミングであると判定した場合（例えば、削除スイッチ５８がオンされたとき）、軌跡データを削除する旨の指令を、削除処理部９２に通知する。
【００６５】
次にステップＳ２において、削除処理部９２の傾斜角検出部１０１は、傾斜角センサ５６からのセンサ信号に基づいて、データ削除に利用する傾斜角Ｒを検出する。例えば、上述したように、軌跡データを削除する旨の指令が通知されたときから所定時間の傾斜角センサ５６からのセンサ信号が示す傾斜角の平均値が傾斜角Ｒとされる。また軌跡データを削除する旨の指令が通知されたときから所定時間における傾斜角センサ５６からのセンサ信号が示す最大の傾斜角が、傾斜角Ｒとされる。
【００６６】
ステップＳ３において、削除データ決定部１０２は、傾斜角Ｒに応じて、削除する軌跡データを決定し、処理部１０３は、決定された軌跡データを、メモリ５５から削除する。
【００６７】
図９は、傾斜角Ｒに応じたデータ削除処理の概要を示す図である。図１０は、図９の例に対応した傾斜角Ｒの範囲を示す図である。この例の場合傾斜角Ｒが、０度以上で６０度より小さい場合、記憶された時刻が前の方から（即ち古い順から）１個の軌跡データ（即ち１個の地点データと、それに対応付けられているデータ）が削除される。また傾斜角Ｒが６０度以上で１５０度より小さい場合、古い順から５個の軌跡データが削除される。また傾斜角Ｒが１５０度以上で１８０度より小さい場合、記憶されている全ての軌跡データが削除される。
【００６８】
なお記憶日時は地点データに対応付けられて記憶されているので、その記憶日時に基づいて、削除される軌跡データが適宜特定され、削除される。
【００６９】
このようにこの例の場合、傾斜角Ｒに応じた記憶日時及び量の軌跡データが削除される。
【００７０】
図１１は、傾斜角Ｒに応じた他のデータ削除処理の概要を示す図である。図１２は、図１１の例及び後述する図１３の例に対応した傾斜角Ｒの範囲を示す図である。この例の場合、傾斜角Ｒが０度以上で６０度より小さい場合、「出発地」及び「目的地」の軌跡データ（即ち、データの種類が出発地及び目的地とされている軌跡データ）のうち、最も古い軌跡データが1個削除される。また傾斜角Ｒが６０度以上で９０度より小さい場合、「立寄地点」の軌跡データのうち、最も古い軌跡データが１件削除される。また傾斜角Ｒが９０度以上で１５０度より小さい場合、「通過ルート」の軌跡データのうち、最も古い軌跡データが１個削除される。傾斜角Ｒが１５０度以上で１８０度より小さい場合、記憶されている全ての軌跡データが削除される。
【００７１】
なおデータの種類と記憶日時は、地点データに対応付けられて記憶されているので、それらの情報に基づいて、削除される軌跡データが特定され、削除される。
【００７２】
このようにこの例の場合、傾斜角Ｒに応じた所定の種類、記憶日時及び量の軌跡データが削除される。
【００７３】
図１３は、傾斜角Ｒに応じた他のデータ削除処理の概要を示す図である。図９の例と、図１１の例との組み合わせとなっている。この例の場合、傾斜角Ｒが０度以上で６０度より小さい場合、データの種類にかかわらず最も古い軌跡データが１個削除される（図９の例の場合と同じ）。また傾斜角Ｒが６０度以上で９０度より小さい場合、「立寄地点」の軌跡データのうち、最も古い軌跡データが１個削除され、傾斜角Ｒが９０度以上で１５０度より小さい場合、「通過ルート」の軌跡データのうち最も古い軌跡データが１個削除される（図１１の例の場合と同じ）。傾斜角Ｒが１５０度以上で１８０度より小さいとき、記憶されている全ての軌跡データが削除される（図９及び図１１の例と同じ）。
【００７４】
このようにして傾斜角Ｒに応じて削除すべき軌跡データが決定されて削除される。なお図９から図１３の説明では、削除を許可しない旨を示す情報が対応付けられている場合については言及しなかったが、削除を許可しない旨を示す情報が対応付けられている場合（即ち、削除ロックマーク４１−５が選択されて地図エリア３１の位置がチェックされた場合）、その地点データに対応する軌跡データは削除されない。
【００７５】
削除すべき軌跡データがメモリ５５から全て削除されたとき、処理が終了する。
【００７６】
以上のように、電子ペン１２の傾きに応じてメモリ５５に記憶されている軌跡データが削除されるようにしたので、ユーザは、例えばコップから液体を零すようなイメージで、電子ペン１２に記憶されている軌跡データを削除することができる。即ち簡単であるとともに、直観的に、電子ペン１２に記憶されている軌跡データを削除することができる。
【００７７】
なお以上においては、削除スイッチ５８がオンされたとき、軌跡データの削除を開始するようにしたが、データ削除を開始するタイミングは、他の方法によって決定されるようにすることができる。
【００７８】
例えばユーザが電子ペン１２で用紙２１をチェックした後、用紙２１から電子ペン１２を離し、電子ペン１２を一旦所定の角度（例えば、垂直）に保持したときを、データ削除を開始するタイミングとすることができる。即ちその後、電子ペン１２の傾斜角Ｒが決定され、その傾斜角Ｒに応じて軌跡データが削除される。このようにすることにより、削除スイッチ５８等を操作する必要がなくなるので、データ削除をより簡単に開始することができる。またこの方法では、電子ペン１２が用紙２１に接触しドットパターンの解読を行っている間は、データ削除が実行されないので、用紙２１をチェックしている間に軌跡データが誤って削除されることを防止することができる。
【００７９】
また上述した電子ペン１２の動きと削除スイッチ５８のオン／オフと組み合わせて、データ削除を開始するタイミングを決定することもできる。
【００８０】
また上述した図９の例においては、削除されるデータ量は、軌跡データの個数（１個又は５個等）で決められていたが、例えば「最も古い軌跡データが記憶された時刻から３０分以内」又は「最も古い軌跡データが記憶された時刻から２４時間以内」に記憶された軌跡データのように、メモリ５５に記憶されている時間に基づいて削除されるデータの範囲を決定することもできる。
【００８１】
また図９の例においては、削除されるデータ量は傾斜角Ｒに応じて固定されていたが、他の要素を利用して削除されるデータ量に変化を持たせることができる。
【００８２】
例えばメモリ５５に所定容量以下のデータが記憶されている場合、図９の例に示したように、傾斜角Ｒに応じて１個、５個、又は全ての軌跡データが削除される。一方所定容量より多くのデータが記憶されている場合、傾斜角Ｒが０度以上で６０度より小さいとき、古い順から５個の軌跡データが削除される。また傾斜角Ｒが６０度以上で１５０度より小さいとき、古い順から１０個の軌跡データが削除される。傾斜角Ｒが１５０度以上で１８０度より小さいとき、記憶されている全ての軌跡データが削除される。
【００８３】
即ち多くのデータがメモリ５５に記憶されている場合、少ないデータがメモリ５５に記憶されている場合に比べ、同じ傾斜角Ｒでもより多くの軌跡データが削除される。例えばコップを傾けると、一般的にコップに多くの液体が入っているときは、少しの液体しか入っていない場合に比べ、より多くの液体が零れるが、そのような現象に近い感覚で、メモリ５５から軌跡データを削除することができる。
【００８４】
また例えば傾斜角Ｒを得た際の電子ペン１２の加速度を検出し、その加速度が所定の大きさ以下である場合（即ち電子ペン１２がゆっくりと傾けられた場合）、図９の例に示したように、傾斜角Ｒに応じて１個、５個、又は全ての軌跡データが削除される。一方電子ペン１２の加速度が所定の大きさより大きい場合（即ち、電子ペン１２が急に傾けられた場合）、傾斜角Ｒが０度以上で６０度より小さいとき、古い順から５個の軌跡データが削除され、傾斜角Ｒが６０度以上で１５０度より小さいとき、古い順から１０個の軌跡データが削除される。傾斜角Ｒが１５０度以上で１８０度より小さいとき、記憶されている全ての軌跡データが削除される。
【００８５】
即ち電子ペン１２が急に傾けられた場合、ゆっくりと傾けられた場合に比べ、同じ傾斜角Ｒでもより多くの軌跡データが削除される。例えばコップを勢いよく傾けた場合、一般的に、ゆっくりとコップを傾けた場合に比べ、より多くの水が零れるが、そのような現象に近い感覚で、メモリ５５から軌跡データを削除することができる。
【００８６】
また例えば電子ペン１２が傾斜角Ｒをもって傾けられている時間を計測し、その計測時間が所定の時間以下である場合、図９の例に示したように、傾斜角Ｒに応じて１個、５個、又は全ての軌跡データが削除される。一方計測時間が所定の時間より長い場合（即ち所定の時間より長い時間傾けられているとき）、傾斜角Ｒが０度以上で６０度より小さいとき、古い順から５個の軌跡データが削除され、傾斜角Ｒが６０度以上で１５０度より小さいとき、古い順から１０個の軌跡データが削除される。傾斜角Ｒが１５０度以上で１８０度より小さいとき、記憶されている全ての軌跡データが削除される。
【００８７】
即ち電子ペン１２が傾け続けられた場合、傾きが直に戻された場合に比べ、同じ傾斜角Ｒでもより多くの軌跡データが削除される。例えば液体が入っているコップを傾け続ければ、水は零れ続けるので、コップを傾けた後直に戻す場合に比べ、より多くの水が零れるが、そのような現象に近い感覚で、メモリ５５から軌跡データを削除することができる。
【００８８】
このように傾斜角Ｒに応じた量の軌跡データが削除される場合、同じ傾斜角Ｒであっても、メモリ５５に記憶されているデータ量、又は電子ペン１２の傾け方に応じて、削除されるデータ量に変化を持たせることができる。
【００８９】
また上述した図１１の例においては、傾斜角Ｒに応じて削除される軌跡データの種類は異なるが、削除されるデータ量は固定されていた。そこで例えば電子ペン１２に文字認識機能を持たせ、削除するデータ量を指定することができるようにすることもできる。
【００９０】
例えばユーザは、電子ペン１２を用いて用紙２１上に、「５」の文字を描き、その後、傾斜角Ｒが６０度以上で９０度より小さい範囲内になるように電子ペン１２を傾けたものとする。その場合図１１の例では、「立寄地点」の軌跡データが、古い順から５個の軌跡データが削除される。
【００９１】
また図１１の例の場合においては、削除される軌跡データは、古い方から順番に削除されていたが（即ち削除される優先順位が固定されていたが）、優先順位を例えば電子ペン１２の動きに応じて変更することもできる。
【００９２】
例えば、所定のタイミングで、ユーザが電子ペン１２を鉛直方向に立て上下に振ると、その振りに応じて、優先順位が「古いデータから削除」、「新しいデータから削除」「容量の大きいデータから削除」（図６の例では、プロット数が最も大きい地点データの軌跡データから）、及び「容量の小さいデータから削除」（図６の例では、プロット数が最も小さい地点データの軌跡データから）の順番に変更されるようにすることができる。
【００９３】
また以上においては、ユーザは、電子ペン１２の傾斜角Ｒを、自分が電子ペン１２を傾けた感覚で認識するが、例えば電子ペン１２の傾斜角ＲがＬＣＤ６０に表示されるようにすることもできる。
【００９４】
図１４は、傾斜角Ｒの表示例を示す図である。図１４の例では、傾斜角Ｒとともに、その傾斜角Ｒに応じたデータ削除がどの程度完了したかを示すプログレスバー６０Ａも表示される。
【００９５】
またこのような表示に代えて、分度器を電子ペン１２の傾斜角Ｒを示すように設けることもできる。
【００９６】
このように傾斜角Ｒが提示されるようにすれば、ユーザは、傾斜角Ｒを正確に認識することができ、削除される軌跡データをより正確に把握することができる。
【００９７】
またデータの削除を、より感覚的に認識することができるように、削除されるデータ量に応じた音を出力したり、また出力する音のピッチを、削除されるデータ量に対応させて変化させることもできる。例えば水が垂れる様な音を、データ削除の進捗状態に応じたピッチで出力することもできる。
【００９８】
また以上においては、電子ペン１２に内蔵されるメモリ５５に記憶されている軌跡データを削除する場合を例として説明したが、例えば軌跡データがナビゲーション本体１４のメモリに記憶される場合、電子ペン１２は、上述したようにして決定した削除する軌跡データを示す情報をナビゲーション本体１４に通知し、その軌跡データの削除は、ナビゲーション本体１４において行われるようにすることもできる。また傾斜角Ｒのみを、ナビゲーション本体１４に送信し、ナビゲーション本体１４において、傾斜角Ｒに応じて削除する軌跡データが決定されて、その軌跡データが削除されるようにすることもできる。
【００９９】
また以上においては、ナビゲーションシステム１で利用される電子ペン１２を例として説明したが、他の用途に使用される電子ペンにも適用することができる。
【０１００】
また以上においては、電子ペン１２を例として説明したが、メモリプレーヤなど、メモリにデータが記憶されるものであれば、他の装置においても適用することができる。
【図面の簡単な説明】
【０１０１】
【図１】本発明の実施の形態に係るナビゲーションシステムを示す構成図である。
【図２】図１の地図帳の用紙の例を示す図である。
【図３】図２の用紙に印刷される地図の例を示す図である。
【図４】図３のマイクロコンピュータの機能的構成例を示すブロック図である。
【図５】図３のメモリに記憶されているデータの構成例を示す図である。
【図６】図３のメモリに記憶されている他のデータの構成例を示す図である。
【図７】電子ペンの傾斜角を説明する図である。
【図８】データ削除処理の流れを示すフローチャートである。
【図９】電子ペンの傾斜角に応じたデータ削除処理の例を示す図である。
【図１０】電子ペンの傾斜角を説明する他の図である。
【図１１】電子ペンの傾斜角に応じた他のデータ削除処理の例を示す図である。
【図１２】電子ペンの傾斜角を説明する他の図である。
【図１３】電子ペンの傾斜角に応じた他のデータ削除処理の例を示す図である。
【図１４】図１の電子ペンのＬＣＤの表示例を示す図である。
【符号の説明】
【０１０２】
１  ナビゲーションシステム，  １１  地図帳，  １２  電子ペン，  １４  ナビゲーション本体，  ２１  用紙，  ３１  地図エリア，  ３２  コマンド設定エリア，  ４１  コマンドマーク，  ５１  ペン軸，  ５２  筆圧センサ，  ５３  赤外線ＬＥＤ，  ５４  ＣＯＭＳセンサ，  ５５  メモリ，  ５６  傾斜角センサ，  ５７  タイマ，  ５８  削除スイッチ，  ５９  スピーカ，  ６０  ＬＣＤ，  ６１  通信部，  ８１  データ記憶部，  ８２  データ処理部，  ８３  データ削除部，  ９１  制御部，  ９２  削除処理部，  １０１  傾斜角検出部，  １０２  削除データ決定部，  １０３  処理部
【図１】
2010033155.tif 000003
【図２】
2010033155.tif 000004
【図３】
2010033155.tif 000005
【図４】
2010033155.tif 000006
【図５】
2010033155.tif 000007
【図６】
2010033155.tif 000008
【図７】
2010033155.tif 000009
【図８】
2010033155.tif 000010
【図９】
2010033155.tif 000011
【図１０】
2010033155.tif 000012
【図１１】
2010033155.tif 000013
【図１２】
2010033155.tif 000014
【図１３】
2010033155.tif 000015
【図１４】
2010033155.tif 000016